(57)【要約】【課題】  小物の展示及び収納の手間を軽減する。【解決手段】  小物を、小物用保持用布地のループを通すことにより当該小物用保持用布地に保持した状態で、内側ポケット布地の表面側に設けられた外側ポケット布地の裏側に収納し、又は表側に並べるようにできるようにしたことにより、小物の展示及び収納に要する手間を一段と簡略化できる。【選択図】図５
0003101633.tif 000002
【実用新案登録請求の範囲】
【請求項１】
主布地の上端部に帯状の副布地を一体に縫いつけてなり、上縁部を残して他の縁部を周縁糸目によってかがり縫いされた小物入れ主部分と、
上記小物入れ主部分の上端縁中央部において、上記副布地の上縁から上記主布地の上端部までの間に上下方向に細長に延長しかつ上端部及び下端部をそれぞれ上記副布地及び上記主布地に縫いつけられることによりループを形成する小物保持用布地と、
上記主布地の上下方向の中央部分において、上記主布地の左右方向の左側部分を残して右側縁に至る範囲に配置され、左側縁及び下側縁を上記主布地の表面に縫いつけられると共に、右側縁を上記周縁糸目によって上記主布地に縫いつけられ、これにより上側縁に開口を形成してなる内側ポケット布地と、
上記内側ポケット布地の表面と対向し、かつ上記主布地の上下方向の下半部と上半部の右側部分とを覆うように配置され、上記主布地の左縁の上下方向の中央位置から、上記主布地の右側部の上縁に至るまで、右上方向に向って湾曲することにより上記内側ポケット布地の左上端部分を露出する形状の開口を形成すると共に、外形周縁を上記周縁糸目によって上記主布地に縫いつけられると共に、右側上縁を上記主布地及び上記副布地を縫う糸目によって上記主布地に縫いつけられた外側ポケット布地と
を具えたことを特徴とする小物入れ。
【請求項２】
上記主布地及び上記副布地は表面が青色のデニム織生地によって構成されると共に、上記副布地の上下縁部と、上記小物保持用布地の左右縁部と、上記内側ポケット布地の開口縁部並びに左縁部及び下縁部と、上記外側ポケット布地の開口縁部とを、互いに平行かつ上記デニム織生地とは異なる色の２本の飾り糸目を形成した
ことを特徴とする請求項１に記載の小物入れ。
【請求項３】
上記小物保持用布地の上記ループを通すことにより当該小物保持用布地に保持される取付チェーン部材と、
上記取付チェーン部材の下端部に上端部を連結された中継部材と、
上記中継部材の下端部に上端部を連結された飾りチェーン部材と
を具える小物を有し、展示時、上記小物の上記取付チェーン部材を上記小物保持用布地の上記ループに保持させた状態で、当該取付チェーン部材、上記中継部材及び上記飾りチェーン部材を、上記小物保持用布地から上記内側ポケット布地の上記露出部分の上を通って上記外側ポケット布地に至るまでの範囲に配列提示する
ことを特徴とする請求項１及び２に記載の小物入れ。
【考案の詳細な説明】
【技術分野】
【０００１】
本考案は小物入れに関し、特に装身具の取扱いを簡便にしようとするものである。
【背景技術】
【０００２】
従来、装身具を店頭に並べて販売したり、購入者が保管、使用したりする際には、装身具を収納した収納箱からその都度装身具を１つずつ取り出してショーケースに並べたり、ショーケースから収納箱に取り込んだり、収納箱から取り出してどれを身に着けるかを検討したり、再び収納し直したりするような方法が用いられている。
【考案の開示】
【考案が解決しようとする課題】
【０００３】
ところが従来の方法によれば、ショーケースへの装身具の展示や、装身具を身に着ける際の装身具の取扱いが煩雑な問題がある。
【０００４】
本考案は以上の点を考慮してなされたもので、装身具の取扱いを一段と簡便化し得る小物入れを提案しようとするものである。
【課題を解決するための手段】
【０００５】
かかる課題を解決するため本考案においては、主布地２Ａの上端部に帯状の副布地２Ｂを一体に縫いつけてなり、上縁部を残して他の縁部を周縁糸目７によってかがり縫いされた小物入れ主部分２と、小物入れ主部分２の上端縁中央部において、副布地２Ｂの上縁から主布地２Ａの上端部までの間に上下方向に細長に延長しかつ上端部及び下端部をそれぞれ副布地２Ｂ及び主布地２Ａに縫いつけられることによりループを形成する小物保持用布地８と、主布地２Ａの上下方向の中央部分において、主布地２Ａの左右方向の左側部分を残して右側縁に至る範囲に配置され、左側縁及び下側縁を主布地２Ａの表面に縫いつけられると共に、右側縁を周縁糸目７によって主布地２Ａに縫いつけられ、これにより上側縁に開口を形成してなる内側ポケット布地４と、内側ポケット布地４の表面と対向し、かつ主布地２Ａの上下方向の下半部と上半部の右側部分とを覆うように配置され、主布地２Ａの左縁の上下方向の中央位置から、主布地２Ａの右側部の上縁に至るまで、右上方向に向って湾曲することにより内側ポケット布地４の左上端部分を露出する形状の開口を形成すると共に、外形周縁を周縁糸目７によって主布地２Ａに縫いつけられると共に、右側上縁を主布地２Ａ及び副布地２Ｂを縫う糸目３Ａによって主布地２Ａに縫いつけられた外側ポケット布地５とを設けるようにする。
【考案の効果】
【０００６】
本考案によれば、小物を収納するときには、小物を小物保持用布地に保持させた状態のまま内側ポケット布地の外側に設けられた外側ポケット布地の裏側に押し込むことにより収納できると共に、小物を展示するときには、小物保持用布地に保持させた状態のまま外側ポケット布地の裏側に収納されていた小物を表に引き出すことにより展示することができ、これにより小物の販売時及び収納時に余計な手間が不要な小物入れを容易に実現できる。
【考案を実施するための最良の形態】
【０００７】
以下図面について本考案の一実施の形態を詳述する。
【０００８】
図１及び図２において、１は全体として小物入れを示し、綿糸を厚地に綾織することにより表側が青色かつ裏側が青白色のデニム織りの布地で構成されている。
【０００９】
小物入れ１は全体としてＵ字状外形形状に裁断された小物入れ主部分２を有し、この小物入れ主部分２は、Ｕ字状外形形状に裁断された主布地２Ａとその上端部に左右方向に延長するように縫いつけられた幅広の帯状の副布地２Ｂとでなる。
【００１０】
副布地２Ｂは上辺を中心として四辺形の布地を下方に折りたたむことにより、表裏共に、デニム織地の青色の表面が露出する状態で主布地２Ａの上端部に黄色の糸目３Ａによって縫いつけられている。
【００１１】
副布地２Ｂの上縁部には糸目３Ａとほぼ平行に黄色の飾り縫い用糸目３Ｂが形成され、これにより副布地２Ｂに左右方向の鮮明な縁取り効果を与えるような外観を与えるようになされている。
【００１２】
小物入れ主部分２の主布地２Ａの表面には、内側ポケット布地４及び外側ポケット布地５が順次部分的に重なるように縫いつけられている。
【００１３】
内側ポケット布地４は、小物入れ主部分２の主布地２Ａの上下方向の中央部分において、左右方向の左側部分を残した右寄り位置に配置され、その左側縁から下側縁に沿って２本の黄色の糸目６Ａ及び６Ｂと、紺色の周縁糸目７とによって主布地２Ａに縫いつけられる。
【００１４】
かくして内側ポケット布地４は上端に左右方向に延びる開口を有する。
【００１５】
外側ポケット布地５は、内側ポケット布地４の表面と対向して、小物入れ主部分２の主布地２Ａに対して、上下方向の下半部を横幅全体に覆うと共に、上半部の右側部分を覆うように配設されて、主布地２Ａに周縁糸目７によって外形形状に沿って主布地２Ａに縫いつけられ、かつ上縁部分を左右方向糸目３Ａによって主布地２Ａに縫いつけられている。
【００１６】
かくして外側ポケット布地５の開口部は、主布地２Ａの左側縁の上下方向のほぼ中央位置から主布地２Ａの右側部の上縁に至るまで、右上方に向って湾曲しながら立ち上がるような曲線を描くように形成され、これにより内側ポケット布地４の左上方部分が外側ポケット布地５の開口内に露出する。
【００１７】
小物入れ主部分２の上縁部において左右方向中央部には、副布地２Ｂの上縁から主布地２Ａの上端部分にまでの範囲に幅狭帯状の小物保持布地８がその上端部及び下端部に縫いつけられることによりループを形成し、この小物保持布地８のループを利用して小物入れ１に入れるべき小物を保持できるようになされている。
【００１８】
内側ポケット布地４の上端部は、デニム織地が裏側に折り返されると共に、折り返し端が一対の黄色の飾り縫い用糸目１０Ａ及び１０Ｂによって飾り縫いされ、これにより、内側ポケット布地４のうち外側ポケット布地５から外部に露出されている部分が浮き出るような鮮明な縁取り効果を与えるような外観をもつようになされている。
【００１９】
また、小物保持用布地８の左右両縁部には、ほぼ平行に上下方向に延長する一対の黄色の飾り縫い用糸目１１Ａ及び１１Ｂが形成され、これにより、小物保持用布地８が副布地２Ｂを上下方向に横切る印象を強めるような縁取り効果を与えるようになされている。
【００２０】
さらに、外側ポケット布地５の開口部５Ａは、表側から裏側へ折り返されて当該折り返し縁部に沿って互いに平行に一対の黄色の糸目１２Ａ及び１２Ｂによって縫い止められており、これにより、内側ポケット布地４の縁取り効果と共に、外側ポケット布地５の開口が右上方に湾曲しながら主布地２Ａを横切りながら浮き上る印象を強めるような縁取り効果を与えるようになされている。
【００２１】
以上の構成において、小物入れ１に収納すべき小物３０として、図３に示すようなチェーン装身具を収納する場合、鎖金具及び着脱金具でなる取付チェーン部材３０Ａを、小物保持用布地８のループを通すように保持させる。
【００２２】
小物３０は取付チェーン部材３０Ａの下端部に中抜き板状金具でなる中継部材３０Ｂの上端部が取り外しできないように取り付けられており、さらに中継部材３０Ｂの下端部に複数の鎖金具の先端にそれぞれ飾り金具を固定してなる飾りチェーン部材３０Ｃを取り外しできないように取り付けている。
【００２３】
この場合飾り金具は、「太陽の顔」、「やしの木」及び「一足の草履」の小型模型で構成されている。
【００２４】
かくして小物３０の取付チェーン部材３０Ａを小物保持用布地８のループを通して保持させたとき、少なくとも飾りチェーン部材３０Ｃの部分を外側ポケット布地５の内側に押し込めば、その内側に飾りチェーン部材３０Ｃの部分を収納した状態で小物入れ１に保持できることにより、小物入れ１に小物３０を収納できる。
【００２５】
これに対して、小物３０を店頭で販売する場合には、図５に示すように、小物３０の飾りチェーン部材３０Ｃを外側ポケット布地５の表側に引き出して外側ポケット布地５の表面に並べた状態に配列提示することにより、小物入れ１を全体として展示ケースに展示できる。
【００２６】
このとき、図４に示すような方形の商品説明カード３５を内側ポケット布地３Ａの内側に差し込んでおけば、購入者は当該商品説明カード３５を内側ポケット布地３Ａから引き出して説明を読むことにより、商品名や販売元などの商品に関する情報を知ることができ、当該商品情報を参考に小物３０を購入するか否かの判断をすることができる。
【００２７】
特に、小物３０がジーンズのポケット近傍に付ける飾り用装身具（いわゆるヒップ用チェーン）である場合には、図５に示すように、実際にジーンズのヒップ部分にチェーンを付けた状態を外側から見たと同様に、ベルト通し（小物保持用布地８）に付けたチェーン（小物３０）をジーンズの内ポケット（内側ポケット布地４）及び外ポケット（外側ポケット布地５）上に上下方向に垂れ下がらせた様子を、擬似的に見ることができる。
【００２８】
これにより、自分がジーンズを履いて身に付けた時の様子を購入者にイメージさせることができる。
【００２９】
このとき、小物保持用布地８の両端部に付された黄色の糸目９Ａ及び９Ｂをジグザグ縫いすると共に、内側ポケット布地４の開口の上左縁及び外側ポケット布地５の開口の両端に同様にジグザグ縫いされた黄色の糸目１５Ａ、１５Ｂ及び１５Ｃを形成することにより、実際のジーンズのポケット周りの様子を十分な臨場感で表示できる。
【００３０】
以上の構成によれば、小物３０を収納する際には、少なくとも小物の主要部を外側ポケット布地５の内側に押し込むだけの簡易な手間によって小物の収納をすることができると共に、小物を販売するために展示する際には、小物を外側ポケット布地５から引き出してその外側に並べる簡易な手間ですむような小物入れを容易に提供できる。
【産業上の利用可能性】
【００３１】
装身具の展示・収納具として利用できる。
【図面の簡単な説明】
【００３２】
【図１】本考案による小物入れの一実施の形態を示す正面図である。
【図２】図１の一部を破断して示す破断正面図である。
【図３】収納すべき小物を示す正面図である。
【図４】商品説明カードを示す正面図である
【図５】小物の展示態様を示す正面図である。
【符号の説明】
【００３３】
１……小物入れ、２……小物入れ主部分、２Ａ……主布地、２Ｂ……副布地、３Ａ、３Ｂ……糸目、４……内側ポケット布地、５……外側ポケット布地、６Ａ、６Ｂ……糸目、７……周縁糸目、８……小物保持用布地、９Ａ、９Ｂ、１０Ａ、１０Ｂ、１１Ａ、１１Ｂ、１２Ａ、１２Ｂ、１５Ａ、１５Ｂ、１５Ｃ……糸目、３０……小物、３０Ａ……取付チェーン部材、３０Ｂ……中継部材、３０Ｃ……飾りチェーン部材、３５……商品説明カード。
【図１】
0003101633.tif 000003
【図２】
0003101633.tif 000004
【図３】
0003101633.tif 000005
【図４】
0003101633.tif 000006
【図５】
0003101633.tif 000007